(57)【要約】【課題】グリップ時の違和感が少なく、ノンスリップ性及び意匠性に優れたゴルフ用手袋を提供すること。【解決手段】手の甲側を覆う手甲部及び掌側を覆う掌部３とよりなる本体部１０と、親指の甲側を覆う親指外面部及び親指の掌側を覆う親指内面部４２とよりなる親指部２とを連結してなる。掌部３と親指内面部４２の少なくとも一方には、樹脂又はゴムよりなる滑り止めプリント５が、部分的な領域にのみ施されている。滑り止めプリント５は、図柄又は色彩の異なるプリントパターンよりなる複数種類のパターン領域５１、５２を組み合わせて構成されている。【選択図】図１
2007231430.tif 000002
【特許請求の範囲】
【請求項１】
手の甲側を覆う手甲部及び掌側を覆う掌部とよりなる本体部と、親指の甲側を覆う親指外面部及び親指の掌側を覆う親指内面部とよりなる親指部とを連結してなるゴルフ用手袋において、
上記掌部と上記親指内面部の少なくとも一方には、樹脂又はゴムよりなる滑り止めプリントが、部分的な領域にのみ施されており、
かつ、該滑り止めプリントは、図柄又は色彩の異なるプリントパターンよりなる複数種類のパターン領域を組み合わせて構成されていることを特徴とするゴルフ用手袋。
【請求項２】
請求項１において、上記滑り止めプリントは、ゴルフクラブのグリップ部に比較的強い圧力で接触すると想定される強接触領域と、該強接触領域よりも比較的弱い圧力で接触すると想定される弱接触領域とにおいて、図柄の異なるプリントパターンを採用していることを特徴とするゴルフ用手袋。
【請求項３】
請求項１又は２において、上記滑り止めプリントは、複数回の印刷工程を行うことによって配設されており、１回の印刷によって形成された肉薄領域と、複数回の印刷によって重ね刷りされた厚肉領域とを有していることを特徴とするゴルフ用手袋。
【請求項４】
請求項３において、上記薄肉領域における上記滑り止めプリントの厚みは０．０２〜０．１５ｍｍの範囲にあり、上記厚肉領域における上記滑り止めプリントの厚みは上記薄肉領域における厚みの１．５倍以上であることを特徴とするゴルフ用手袋。
【請求項５】
請求項１〜４のいずれか１項において、上記滑り止めプリントは、複数回の印刷工程を行うことによって配設されており、印刷工程毎に上記樹脂又はゴムの色を変更することによって、色彩の異なる複数の領域を形成していることを特徴とするゴルフ用手袋。
【発明の詳細な説明】
【技術分野】
【０００１】
本発明は、グリップ時の違和感が少なく、ノンスリップ性及び意匠性に優れたゴルフ用手袋に関する。
【背景技術】
【０００２】
ゴルフ用手袋は、天然皮革、人工皮革あるいは合成皮革を裁断して形成した複数の部材を縫製することにより作製される。ゴルフ用手袋に対しては、これを装着した際のフィット感、ゴルフクラブを握った際のフィット感、ノンスリップ性、使用を続けた際の耐久性、意匠性等の様々な特性が要求される。
【０００３】
そこで、例えば特許文献１、２においては、手甲部と掌部とを別部材により形成したゴルフ用手袋が提案されている。
これらの提案によるゴルフ用手袋は、手甲部と掌部に適用する素材を積極的に異なる素材にすることができるので、手甲部と掌部の特性を各々に適した異なる特性に調整することができる。
【０００４】
【特許文献１】特開平１１−１８８１２９号公報
【特許文献２】特開平１１−１８８１３０号公報
【発明の開示】
【発明が解決しようとする課題】
【０００５】
ところで、ゴルフ用手袋に求められる特性のうち、ノンスリップ性については、生地素材そのものを滑りにくいものにするのではなく、生地素材の表面全面の領域に樹脂又はゴム等の滑り止め部材を配設することによって対応する場合がある。
しかしながら、掌部又は親指内面部の全面の領域にわたって滑り止め部材を配置した場合には、意匠性の自由度に欠け、意匠性をさらに向上させることが困難である。また、上記の全領域に配置された滑り止め部材のために、グリップ時に違和感が生じる場合がある。
【０００６】
本発明は、かかる従来の問題点に鑑みてなされたもので、グリップ時の違和感が少なく、ノンスリップ性及び意匠性に優れたゴルフ用手袋を提供しようとするものである。
【課題を解決するための手段】
【０００７】
本発明は、手の甲側を覆う手甲部及び掌側を覆う掌部とよりなる本体部と、親指の甲側を覆う親指外面部及び親指の掌側を覆う親指内面部とよりなる親指部とを連結してなるゴルフ用手袋において、
上記掌部と上記親指内面部の少なくとも一方には、樹脂又はゴムよりなる滑り止めプリントが、部分的な領域にのみ施されており、
かつ、該滑り止めプリントは、図柄又は色彩の異なるプリントパターンよりなる複数種類のパターン領域を組み合わせて構成されていることを特徴とするゴルフ用手袋にある（請求項１）。
【０００８】
本発明のゴルフ用手袋は、上記滑り止めプリントを、上記掌部と親指内面部の部分的な領域のみに施してある。そのため、滑り止めプリントが施されていない部分が存在することによって、全面領域に滑り止めプリントを施した場合と比べて、グリップする際の抵抗や違和感を低減することが可能となる。
【０００９】
また、上記滑り止めプリントは、図柄又は色彩の異なるプリントパターンよりなる複数種類のパターン領域を組み合わせて構成されている。そのため、単一のパターンにより構成されている場合と比べて、意匠性においても意外性や機能美のような付加的な効果を加えることができる。それ故、従来よりも意匠面での自由度が高まり、意匠性の向上に寄与することができる。
さらに、プリントパターンを変えることによって、滑り止め効果を変化させることができ、きめ細かいノンスリップ性を得ることも可能となる。
【００１０】
このように、本発明では、グリップ時の違和感が少なく、ノンスリップ性及び意匠性に優れたゴルフ用手袋を提供することができる。
【発明を実施するための最良の形態】
【００１１】
本発明のゴルフ用手袋は、上記のごとく、本体部と親指部とを連結して構成されている。上記本体部、親指部としては、これまで知られている様々な素材を採用しうる。この素材としては、天然皮革、人工皮革、合成皮革等がある。
また、上記滑り止めプリントとしては、様々なゴム又は樹脂を適用できるが、特に、印刷によって配設可能なものを採用することが好ましい。例えば、シリコン樹脂は液体状態で扱えるので印刷が容易であり、さらに、耐久性にも優れているので、上記滑り止めプリントの材料としては最適である。
【００１２】
また、上記滑り止めプリントを構成するパターン領域としては、例えば、点を規則正しく並べた図柄のドットパターン領域や、波線を等間隔で並べた図柄の波線パターン領域等、様々なパターンを採用することができる。
【００１３】
また、上記ゴルフ用手袋において、上記本体部は、上記手甲部と上記掌部とが連なった１枚の生地素材を用いて構成されていることが好ましい。上記本体部を上記手甲部と上記掌部とを連ねた１枚物の生地素材とすることにより、縫製工程を簡略化することができると共に、素材のコストダウンを図ることができる。そして、本発明においては、ノンスリップ性を上記滑り止めプリントの存在によって実現することができるので、生地素材自体のノンスリップ性についてはあまり考慮する必要がない。それ故、上記の１枚物の素材を用いることが適している。なお、上記本体部を複数の異なる素材を組み合わせて構成してもよく、この場合にも上記滑り止めプリントを施す限り、本発明の作用効果が得られることは言うまでもない。
【００１４】
また、上記滑り止めプリントは、ゴルフクラブのグリップ部に比較的強い圧力で接触すると想定される強接触領域と、該強接触領域よりも比較的弱い圧力で接触すると想定される弱接触領域とにおいて、図柄の異なるプリントパターンを採用していることが好ましい（請求項２）。この場合には、図柄の違いによる上記ゴム又は樹脂が実際に付着している面積や厚みの微妙な違いによる、スリップ防止効果の差異やフィット感の違いを、上記強接触領域と上記弱接触領域の間に生じさせることができる。そして、例えば、上記強接触領域においてはスリップ防止効果が高い図柄を採用し、上記弱接触領域においてはスリップ防止効果よりもフィット感等を重視した図柄を採用することにより、より総合的に優れたゴルフ用手袋を得ることが可能となる。
【００１５】
また、上記滑り止めプリントは、複数回の印刷工程を行うことによって配設されており、１回の印刷によって形成された肉薄領域と、複数回の印刷によって重ね刷りされた厚肉領域とを有していることが好ましい（請求項４）。この場合には、上記滑り止めプリントを施した領域の中で、上記肉薄領域と上記肉厚領域を適所に混在させることによって、その厚みの違いによる微妙なスリップ防止効果の違いとフィット感の違い等を、さらに最適化することができる。また、厚みの違う部分の混在による意匠的効果も得ることができる。
【００１６】
また、上記薄肉領域における上記滑り止めプリントの厚みは０．０２〜０．１５ｍｍの範囲にあり、上記厚肉領域における上記滑り止めプリントの厚みは上記薄肉領域における厚みの１．５倍以上であることが好ましい（請求項５）。この場合には、上記薄肉領域の厚みを上記の範囲内に収めることによって、グリップ時の違和感を非常に小さくすることができる。なお、薄肉領域における厚みが０．０２ｍｍ未満の場合には均一に印刷することが困難となるおそれがあり、一方、０．１５ｍｍを超える場合には、部位によってグリップ時の違和感が生じるおそれがある。また、厚肉領域の厚みを薄肉領域の１．５倍未満とした場合には、薄肉領域との差異が生じにくくなる。なお、厚肉領域の厚みは、違和感が大きくなりすぎるのを抑制すべく、０．３ｍｍ以下とすることが好ましい。
【００１７】
また、上記滑り止めプリントは、複数回の印刷工程を行うことによって配設されており、印刷工程毎に上記樹脂又はゴムの色を変更することによって、色彩の異なる複数の領域を形成していることも好ましい（請求項６）。この場合には、多色構成とすることによる意匠性の向上を得ることができる。
【実施例】
【００１８】
本発明の実施例に係るゴルフ用手袋につき、図１〜図４を用いて説明する。
本例のゴルフ用手袋１は、図１に示すごとく、手の甲側を覆う手甲部２（図２）及び掌側を覆う掌部３とよりなる本体部１０と、親指の甲側を覆う親指外面部４１（図３）及び親指の掌側を覆う親指内面部４２とよりなる親指部４とを連結して構成してなる。
【００１９】
上記掌部３と親指内面部４２の少なくとも一方には、シリコン樹脂よりなる滑り止めプリント５が、部分的な領域にのみ施されている。そして、滑り止めプリント５は、図柄又は色彩の異なるプリントパターンよりなる複数種類のパターン領域５１、５２を組み合わせて構成されている。
以下、これを詳説する。
【００２０】
まず、本例のゴルフ用手袋１を作製するために用いる各部の部品について説明する。
図２に示すごとく、本体部１０は、手甲部２と掌部３とを一体的に連ねた一枚物の人工皮革素材から構成されている。
手甲部２は、同図に示すごとく、甲本体部２０と、親指を除く４本の指の甲側の面となる甲指部２１１〜２１４とを有するものである。また、この手甲部２には、通気性を確保するための貫通穴２９を多数設けてある。
掌部３は、掌本体部３０と、親指を除く４本の指の掌側の面となる掌指部３１１〜３１４とを有するものである。掌本体部３０には、親指部４を接合するための親指用切り欠き部３４を設けてある。
【００２１】
そして、上述したごとく、本体部１０における掌部３に、シリコン樹脂よりなる滑り止めプリント５を、部分的な領域にのみ施してある。本例では、図２に示すごとく、親指用切り欠き部３４の隣に、外形が円形であって、丸い点を規則正しく並べた図柄のドットパターン領域５１ａを設けてある。さらに、その上方には、各掌指部３１１〜３１４の中程から掌上方部分を囲うように波線を等間隔で並べた図柄の波線パターン領域５２ａを設けると共に、その中に複数のドットパターン領域５１ｂ、５１ｃを設けてある。さらに、中指、薬指、及び小指に相当する掌指部３１２、３１３、３１４の先端には、円形のドットパターン領域５１ｃを設けてある。
これらのプリントパターンは、後述するごとく１回の印刷工程によってすべて設けてあり、厚みの平均は０．０３ｍｍにしてある。
【００２２】
また、上記掌部３の滑り止めプリント５は、ゴルフクラブのグリップ部に比較的強い圧力で接触すると想定される強接触領域に上記ドットパターン領域５１ａ〜ｄを配置し、強接触領域よりも比較的弱い圧力で接触すると想定される弱接触領域に波線パターン領域５２ａを配置するという思想を採用している。
【００２３】
次に、上記親指部４は、図３に示すごとく、親指外面部４１と親指内面部４２とを一体的に有する一枚物の人工皮革素材から構成されている。
親指外面部４１には、通気性を確保するための貫通穴４９を多数設けてある。
親指内面部４２には、滑り止めプリント５を設けてある。本例では、親指の先端から付け根近くまでの領域に、波線パターン領域５２ｂを設けると共に、その中に２つのドットパターン領域５１ｅ、ｆを設けてある。また、この親指内面部４２におけるプリントパターンの組み合わせも、強接触領域に上記ドットパターン領域５１ｅ、ｆを配置し、弱接触領域に波線パターン領域５２ｂを配置するという思想を採用している。また、これらのプリントパターンも、１回の印刷工程によってすべて設けてあり、厚みの平均も上記と同様としてある。
【００２４】
図４には、甲指部２１１〜２１４と、掌指部３１１〜３１４との間に介在させる部品であるハギ部７１〜７６を示す。これらは各指の厚み寸法を確保するためのものである。また、これらの部品は、隣同士連結された一体部品に変えることも可能である。
【００２５】
次に、本例のゴルフ用手袋１の製造方法について簡単に説明する。
本例では、まず、図２〜図４に示すごとく、生地素材を裁断して、所望形状の本体部１０、親指部４、及びハギ部７１〜７６を作製する。
次に、上記本体部１０及び親指部４に対して、それぞれ印刷工程を施す。印刷する材料は、液体状のシリコン樹脂であり、用いる版には上述した所望のプリントパターンを設けておく。そして、本例では、それぞれ１回の印刷工程によってシリコン樹脂を印刷した後硬化させ、上述した滑り止めプリント５を設けた。
【００２６】
この印刷工程を経た後、各部材を連結するための縫製を行う。さらに、従来と同様に、手甲部２の開口部を止めるための止め具（図示略）等を従来と同様に縫いつけると共に、図１に示すごとく、手首側端部等に、縁取り部材１３を縫いつける。その他、従来と同様の作業を行うことによって、図１に示す本例のゴルフ用手袋１が完成する。
【００２７】
次に、本例のゴルフ用手袋１における作用効果について説明する。
本例のゴルフ用手袋１は、上記滑り止めプリント５を、上記掌部３と親指内面部４２の部分的な領域のみに施してある。そして、図１、図２に示すごとく、掌本体部３０におけるドットパターン領域５１ａの周囲、親指用切り欠き部３４の周囲、及び各指の中央部分等に、滑り止めプリントが施されていない部分を残している。この滑り止めプリントの無い部分の存在によって、全面領域に滑り止めプリントを施した場合と比べて、グリップする際の抵抗や違和感を低減することが可能となる。
【００２８】
また、上記滑り止めプリント５は、図柄の異なるプリントパターンよりなる２種類のパターン領域５１、５２を組み合わせて構成されている。そのため、単一のパターンにより構成されている場合と比べて、意匠性においても意外性や機能美のような付加的な効果を加えることができる。それ故、従来よりも意匠面での自由度が高まり、意匠性の向上に寄与することができる。
さらに、本例では、滑り止め効果が高いと推定されるドットパターン領域５１ａ〜ｆを、比較的強くグリップ部と接触すると想定される強接触領域に配置してある。そのため、十分なノンスリップ性を得ることが期待できる。
【００２９】
なお、本例では、上述したごとく、１回の印刷工程で複数のプリントパターンを有する滑り止めプリント５を設けたが、その形態を変更することができる。
例えば、印刷工程を２回に増やし、１回目は、上記と同様のドットパターン領域５１と波線パターン領域５２とを有する滑り止めプリント５を印刷し、２回目は、ドットパターン領域５１のみにさらに重ね刷りする印刷を行うことによって、ドットパターン領域５１の滑り止めプリントの厚みを厚くするようにすることができる。
また、上述したドットパターン領域５１のみを配設する印刷工程と、波線パターン領域５２のみを配設する印刷工程とを分け、それぞれ異なる色の樹脂を用いることによって、多色刷りとすることも可能である。
さらに、重ね刷りと多色刷りとを組み合わせても勿論よい。
【図面の簡単な説明】
【００３０】
【図１】実施例における、ゴルフ用手袋の掌部側から見た斜視図。
【図２】実施例における、本体部を示す説明図。
【図３】実施例における、親指部を示す説明図。
【図４】実施例における、ハギ部を示す説明図。
【符号の説明】
【００３１】
１  ゴルフ用手袋
２  手甲部
３  掌部
４  親指部
４１  親指外面部
４２  親指内面部
５  滑り止めプリント
５１ａ〜ｆ  ドットパターン領域
５２ａ、ｂ  波線パターン領域
【図１】
2007231430.tif 000003
【図２】
2007231430.tif 000004
【図３】
2007231430.tif 000005
【図４】
2007231430.tif 000006